(57)【特許請求の範囲】
【請求項１】
対物レンズを保持するボビンと、固定ベースに設けられたサスペンションホルダと、前記ボビンに取り付けられたフォーカス方向及びトラッキング方向に変位させる駆動用コイルと、前記駆動用コイルに電流を供給中継し前記ボビンに固着された端子板と、前記サスペンションホルダの左右両側から上下方向に間隔をおいて延びて、他端が前記端子板に固定され前記ボビンを変位可能に支持している複数本のサスペンションワイヤとを備えた光ピックアップ用アクチュエータであって、前記端子板外側のフォーカス方向端部に切り欠き部を形成したことを特徴とする光ピックアップ用アクチュエータ。
【請求項２】
対物レンズを保持するボビンと、固定ベースに設けられたサスペンションホルダと、前記ボビンに取り付けられたフォーカス方向及びトラッキング方向に変位させる駆動用コイルと、前記駆動用コイルに電流を供給中継し前記ボビンに固着された端子板と、前記サスペンションホルダの左右両側から上下方向に間隔をおいて延びて、他端が前記端子板に固定され前記ボビンを変位可能に支持している複数本のサスペンションワイヤとを備えた光ピックアップ用アクチュエータであって、前記端子板の主平面は半田めっきが形成され、前記端子板の主平面のフォーカス方向側の一部は半田めっきが排除されることを特徴とする光ピックアップ用アクチュエータ。
【発明の詳細な説明】
【０００１】
【発明の属する技術分野】
本発明は、ディスクにレ−ザ光を投影してディスクの記録再生を行う光学式ディスク再生装置に用いる光ピックアップ用アクチュエ−タ−に関するものである。
【０００２】
【従来の技術】
図４は従来、一般に用いられている光ピックアップ用アクチュエ−タの構成を示す斜視図である。図５は図４の要部を示す拡大斜視図である。
【０００３】
図中、対物レンズ４１はボビン４２に固定されている。ボビン４２を囲むようにフォ−カス方向に駆動させるフォ−カスコイル４３が巻付けられ、ボビン４２両側のトラッキング方向に直交する面にトラッキング方向に駆動させるトラッキングコイル４４ａ，４４ｂが巻付けられている。２個の永久磁石４５ａ，４５ｂは、フォ−カスコイル４３とトラッキングコイル４４ａ，４４ｂを挟むように、固定ベ−ス４６に固着されている。ボビン４２にはフォ−カスコイル４３とトラッキングコイル４４ａ，４４ｂに電気を供給するための電流を中継する端子板４７ａ〜４７ｄが、ボビン４２両側のフォ−カス方向上下部分に固着されており、端子板４７ａ〜４７ｄは４本のサスペンションワイヤ−４８ａ〜４８ｄに半田付けにより固定され、サスペンションワイヤ４８ａ〜４８ｄの他端はサスペンションホルダ−４９に固定されたプリント基板４０に半田付けにより保持されている。
【０００４】
端子板４７ｃは４７ａの対面側に配され、端子板４７ｄは４７ｂの対面側に配されている。また、サスペンションワイヤ４８ｃは４８ａの対面側に配され、サスペンションワイヤ４８ｄは４８ｂの対面側に配されている。
【０００５】
【発明が解決しようとする課題】
しかしながら上記従来の構成に於いては、図５に示すようにサスペンションワイヤ４８ａ〜４８ｄと駆動用コイルであるフォ−カスコイル４３とトラッキングコイル４４ａ，４４ｂを中継接続する端子板４７ａ〜４７ｄの半田付け工程において、サスペンションワイヤ４８ａ〜４８ｄを端子板４７ａ〜４７ｄに固定するために、端子板４７ａ〜４７ｄに半田付けする際に半田５０が端子板４７ａ〜４７ｄ外側のフォーカス方向端部５１に回り込み、固定ベース４６との接触など特性不良の原因となる。また必要以上の半田量は追従性能などアクチュエータ性能を低下させる一要因となりうる。この解決のための半田付けの時の半田仕様等に対する要求精度が厳しくなり、効率的な量産性を阻害する問題があった。
【０００６】
本発明は上記従来の問題点を解決するもので、サスペンションワイヤを端子板に固定するための半田が端子板外側のフォーカス方向端部に回り込むことがない光ピックアップ用アクチュエ−タを提供することを目的とする。
【０００７】
【課題を解決するための手段】
この目的を達成するために本発明の光ピックアップ用アクチュエ−タは、対物レンズを保持するボビンと、固定ベ−スに設けられたサスペンションホルダと、ボビンに取り付けられたフォ−カス方向及びトラッキング方向に変位させる駆動用コイルと、駆動用コイルに電流を供給中継しボビンに固着された端子板と、サスペンションホルダの左右両側から上下方向に間隔をおいて延びて、他端が端子板に固定されボビンを変位可能に支持している複数本のサスペンションワイヤとを備えた光ピックアップ用アクチュエ−タであって、端子板外側のフォーカス方向端部に切り欠き部を形成した構成を有している。
【０００８】
この構成の端子板外側のフォーカス方向端部に切り欠き部を形成したことによって、サスペンションワイヤを端子板に固定するための半田が端子板外側のフォーカス方向端部に回り込むことがないものである。
【０００９】
【発明の実施の形態】
本発明の請求項１に記載の発明は、対物レンズを保持するボビンと、固定ベ−スに設けられたサスペンションホルダと、前記ボビンに取り付けられたフォ−カス方向及びトラッキング方向に変位させる駆動用コイルと、前記駆動用コイルに電流を供給中継し前記ボビンに固着された端子板と、前記サスペンションホルダの左右両側から上下方向に間隔をおいて延びて、他端が前記端子板に固定され前記ボビンを変位可能に支持している複数本のサスペンションワイヤとを備えた光ピックアップ用アクチュエ−タであって、前記端子板外側のフォーカス方向端部に切り欠き部を形成したものであり、サスペンションワイヤを端子板に固定するための半田が端子板外側のフォーカス方向端部に回り込むことがないという作用を有する。
【００１１】
請求項２に記載の発明は、対物レンズを保持するボビンと、固定ベースに設けられたサスペンションホルダと、前記ボビンに取り付けられたフォーカス方向及びトラッキング方向に変位させる駆動用コイルと、前記駆動用コイルに電流を供給中継し前記ボビンに固着された端子板と、前記サスペンションホルダの左右両側から上下方向に間隔をおいて延びて、他端が前記端子板に固定され前記ボビンを変位可能に支持している複数本のサスペンションワイヤとを備えた光ピックアップ用アクチュエータであって、前記端子板の主平面は半田めっきが形成され、前記端子板の主平面のフォーカス方向側の一部は半田めっきが排除されるものであり、サスペンションワイヤを端子板に固定するための半田が端子板外側のフォーカス方向端部に回り込むことがないという作用を有する。
【００１２】
以下、本発明の実施の形態について、図１から図３を用いて説明する。
【００１３】
（実施の形態１）
図１は本発明の実施の形態１における光ピックアップ用アクチュエ−タの要部を示す斜視図である。図１は本実施の形態１に直接関係しない構成は省略して記載し、それ以外の構成は図４の構成と同一である。
【００１４】
図１（Ａ）において、１０は駆動用コイルに電流を供給中継しボビンに固着された端子板である。端子板１０はサスペンションホルダ４９の左右両側から上下方向に間隔をおいて延びて、ボビンを変位可能に支持しているサスペンションワイヤ４８の他端が半田により係止される。端子板１０の主平面は半田めっきされている。１１は端子板１０外側のフォーカス方向端部に形成された切り欠き部である。
【００１５】
ここで、図１（Ｂ）に示すように、サスペンションワイヤ４８の他端が端子板１０の主平面に半田１２により係止される。
【００１６】
この時、端子板１０外側のフォーカス方向端部に形成された切り欠き部１１によって、端子板１０のフォーカス方向の長さが他の部分より短くなり、サスペンションワイヤ４８を端子板１０に固定するための半田１２が端子板外側のフォーカス方向端部に回り込むことがないものである。
【００１７】
（実施の形態２）
図２は本発明の実施の形態２における光ピックアップ用アクチュエ−タの要部を示す斜視図である。図２は本実施の形態２に直接関係しない構成は省略して記載し、それ以外の構成は図４の構成と同一である。
【００１８】
図２（Ａ）において、２０は駆動用コイルに電流を供給中継しボビンに固着された端子板である。端子板２０はサスペンションホルダ４９の左右両側から上下方向に間隔をおいて延びて、ボビンを変位可能に支持しているサスペンションワイヤ４８の他端が半田により係止される。端子板２０の主平面は半田めっきされている。２１は端子板１０の主平面のフォーカス方向側に半田付け不可能な材料である樹脂材料を塗布された塗布部である。
【００１９】
ここで、図２（Ｂ）に示すように、サスペンションワイヤ４８の他端が端子板２０の主平面に半田２２により係止される。
【００２０】
この時、端子板２０の主平面のフォーカス方向側に形成された塗布部２１によって、端子板２０のフォーカス方向における半田可能領域の長さが短くなり、サスペンションワイヤ４８を端子板２０に固定するための半田２２が端子板外側のフォーカス方向端部に回り込むことがないものである。
【００２１】
（実施の形態３）
図３は本発明の実施の形態３における光ピックアップ用アクチュエ−タの要部を示す斜視図である。図３は本実施の形態３に直接関係しない構成は省略して記載し、それ以外の構成は図４の構成と同一である。
【００２２】
図３（Ａ）において、３０は駆動用コイルに電流を供給中継しボビンに固着された端子板である。端子板３０はサスペンションホルダ４９の左右両側から上下方向に間隔をおいて延びて、ボビンを変位可能に支持しているサスペンションワイヤ４８の他端が半田により係止される。端子板３０の主平面は半田めっきされている。３１は端子板３０の主平面のフォーカス方向側に半田めっきを排除して不均質表面に仕上げられている不均質表面部である。
【００２３】
ここで、図３（Ｂ）に示すように、サスペンションワイヤ４８の他端が端子板３０の主平面に半田３２により係止される。
【００２４】
この時、端子板３０の主平面のフォーカス方向側に形成された不均質表面部３１によって、端子板３０のフォーカス方向における半田可能領域の長さが短くなり、サスペンションワイヤ４８を端子板３０に固定するための半田３２が端子板外側のフォーカス方向端部に回り込むことがないものである。
【００２５】
【発明の効果】
以上のように本発明は、サスペンションワイヤを端子板に固定するための半田が端子板外側のフォーカス方向端部に回り込むことがなくなるという優れた効果が得られる。
【図面の簡単な説明】
【図１】本発明の実施の形態１における光ピックアップ用アクチュエ−タの要部を示す斜視図
【図２】本発明の実施の形態２における光ピックアップ用アクチュエ−タの要部を示す斜視図
【図３】本発明の実施の形態３における光ピックアップ用アクチュエ−タの要部を示す斜視図
【図４】従来の光ピックアップ用アクチュエ−タの要部を示す斜視図
【図５】従来の光ピックアップ用アクチュエ−タの要部を示す斜視図
【符号の説明】
１０  端子板
１１  切り欠き部
１２  半田
２０  端子板
２１  塗布部
２２  半田
３０  端子板
３１  不均質表面部
３２  半田
【図１】
0003565081.tif 000002
【図２】
0003565081.tif 000003
【図３】
0003565081.tif 000004
【図４】
0003565081.tif 000005
【図５】
0003565081.tif 000006